(57)【要約】【課題】  書類等に切り込みインデックスを形成することができるインデックスカッターを提供する。コンパクトであって携帯性を向上することができるインデックスカッターを提供する。【解決手段】  平板インデックスカッターＩの第２の基材２を準備位置に回動させた後に、書類２０の用紙２１の側辺２１ａを第１の基材１の正面１ａに嵌合凸部５側から乗せるとともに、同側辺２１ａを第２の基材２の背面２ｂに当接させて位置決めをする。次に、第２の基材２を切断位置に回動させて、第１及び第２の基材１，２に形成した第１及び第２刃部７，１０によって側辺２１ａに切り込みインデックス２２を形成する。これによって、書類２０は、各用紙２１にそれぞれ切り込みインデックス２２を形成することで、書類２０を項目毎に分類することができる。【選択図】        図４
2005296472.tif 000002
【特許請求の範囲】
【請求項１】
用紙に切り込みインデックスを形成するインデックスカッターであって、
平板状の第１の基材の一端部と、平板状の第２の基材の一端部を互いに回動可能に連結するとともに、前記第１の基材に第１刃部を形成し前記第２の基材に第２刃部を形成し、前記第１の基材及び前記第２の基材の相対回動に伴って前記第１刃部及び前記第２刃部にて前記用紙に切り込みインデックスを切り欠き形成するように構成したことを特徴とするインデックスカッター。
【請求項２】
請求項１に記載のインデックスカッターにおいて、
前記インデックスカッターの全長は、９６ミリメートル前後に形成されることを特徴とするインデックスカッター。
【請求項３】
請求項１又は２に記載のインデックスカッターにおいて、
前記インデックスカッターは、日本工業規格に準拠して製造されたパンチャーによって用紙に形成されるパンチ孔の形成位置を示す位置確認孔を備えたことを特徴とするインデックスカッター。
【発明の詳細な説明】
【技術分野】
【０００１】
本発明は、インデックスカッターに関する。
【背景技術】
【０００２】
従来、書類等の各ページに記載されている内容を識別するためのインデックスの１つとして、貼付用インデックスが知られている。一般に、この貼付用インデックスは、紙又はプラスチック等からなる台紙と、同台紙の一端に糊等を付着させた接着部とからなる。そして、貼付用インデックスは、その台紙の一部が書類の小口から突出するように、接着部を介して同書類の任意のページに貼り付けられていた。このように貼付用インデックスが貼り付けられた書類では、同書類の小口から突出した貼付用インデックスに従うことで、所望の内容が記載されているページを視認することができるようになっていた。
【発明の開示】
【発明が解決しようとする課題】
【０００３】
しかしながら、この貼付用インデックスは、書類に貼り付けられる量が多くなると、貼付用インデックス同士が混同し、同書類の各ページの識別が困難となり、さらに、この書類を封筒等に収容し難いことや、貼付用インデックスが手指に当たる等の問題があった。このため、百科事典等の製本の小口に形成されている切り込みインデックスを書類等にも採用することが要望されている。一般に、この切り込みインデックスは、円弧状の刃先を有する突きノミによって小口を穿つことで形成されていたが、この突きノミは、外形が大きく嵩張り、また刃先が露出しているため携帯することが困難であった。
【０００４】
本発明は、上記した課題を解決するためのものであって、その第１の目的は、取り扱いが簡単で書類等に切り込みインデックスを形成することができるインデックスカッターを提供する。また、第１の目的に加えて第２の目的は、コンパクトであって携帯性を向上することができるインデックスカッターを提供することにある。
【課題を解決するための手段】
【０００５】
本発明のインデックスカッターは、用紙に切り込みインデックスを形成するインデックスカッターであって、平板状の第１の基材の一端部と、平板状の第２の基材の一端部を互いに回動可能に連結するとともに、前記第１の基材に第１刃部を形成し前記第２の基材に第２刃部を形成し、前記第１の基材及び前記第２の基材の相対回動に伴って前記第１刃部及び前記第２刃部にて前記用紙に切り込みインデックスを切り欠き形成するように構成した。
【０００６】
これによれば、インデックスカッターは、第１の基材又は第２の基材を回動させただけで、第１刃部と第２刃部が協働して用紙に切り込みインデックスを形成する。これによって、書類にも切り込みインデックスを簡単に形成することができ、書類を項目毎に分類することができる。また、書類の各用紙にそれぞれ切り込みインデックスを形成しておくことで、例えば各用紙が混ざってしまった場合には、同切り込みインデックスを割印的目印として、各用紙を項目毎に選別することが可能となる。さらに、第１の基材及び第２の基材を平板状に構成したことにより、インデックスカッターはコンパクトとなって机等に省スペースに載置することができる。
【０００７】
このインデックスカッターの全長は、９６ミリメートル前後に形成される。
これによれば、インデックスカッターの全長は、Ａ４サイズの用紙の長さの略三分の一となっている。従って、このインデックスカッターを用いることによって、用紙を容易に
三つ折りにすることができる。さらに、全長を９６ミリメートル前後とすることでインデックスカッターはコンパクトに形成されるので、同インデックスカッターの携帯性を向上することができる。
【０００８】
このインデックスカッターは、日本工業規格に準拠して製造されたパンチャーによって用紙に形成されるパンチ孔の形成位置を示す位置確認孔を備えた。
これによれば、パンチ孔の形成の際に、位置確認孔によって用紙に形成されるパンチ孔の形成位置を確認することができる。即ち、用紙に記載された文字等を、パンチ孔の形成によって損なうかどうかを確認することができる。この結果、本発明のインデックスカッターを用いることで用紙に記載された文字等が欠損することを抑制し、同用紙に正確にパンチ孔を形成することができる。
【発明の効果】
【０００９】
本発明によれば、書類等に切り込みインデックスを簡単に形成することができる。
【発明を実施するための最良の形態】
【００１０】
以下、本発明を具体化した一実施形態を図１〜図７に従って説明する。
図１は、本実施形態の平板インデックスカッターの構成を説明するための正面図である。図２は、平板インデックスカッターの準備位置及び切断位置を説明するための側面図である。図３は、同図１におけるＡ―Ａ線方向の断面図である。
【００１１】
図１に示すように、平板インデックスカッターＩは、鋼、ステンレス、アルミ等の金属からなる扁平であって厚さが２．５ミリメートルの平板状に形成された第１の基材１と第２の基材２とを備えていて、その全長Ｌが９６ミリメートルとなるように構成されている。この第１の基材１と第２の基材２は、図１において、同第１及び第２の基材１，２の正面１ａ，２ａ及び背面１ｂ，２ｂがそれぞれ平滑な面を成すように、その一端部に貫設された連結ピン３，４を介して互いに連結されている。そして、図２に示すように、第１及び第２の基材１，２は、連結ピン３，４を回動中心とした相対回動ができるようになっている。
【００１２】
前記第１の基材１の一端部（上述した第２の基材２との連結部側）には、図１における前記第２の基材２方向に向けて、略円弧状の嵌合凸部５が突出形成されている。この嵌合凸部５には、図３に示すように、その側面に前記背面１ｂから前記正面１ａにかけて第２の基材２の方向に傾斜する傾斜部６を備えている。このように傾斜部６を形成することによって、嵌合凸部５の前記正面１ａ側の先端部には第１刃部７が２段刃に形成されている。
【００１３】
一方、第２の基材２の一端部（上述した第１の基材１との連結部側）には、略円弧状の嵌合凹部８が凹設されている。
この嵌合凹部８は、第１及び第２の基材１，２を連結させた際に、前記嵌合凸部５と嵌合するようになっている。嵌合凹部８には、図３に示すように、その側面に断面円弧状の逃げ溝９が凹設されている。この逃げ溝９は、第１及び第２の基材１，２の相対回動の際に、第１刃部７が移動するための溝であって、同逃げ溝９を形成することによって、嵌合凹部８の背面２ｂ側の先端部には第２刃部１０が形成されている。この第２刃部１０は、第１及び第２の基材１，２が、互いに相対回動した際に第１刃部７と協働して用紙を切断するようになっている。
【００１４】
このように構成することによって、例えば、第２の基材２を、図２において実線で示す位置（準備位置）から、同図２において２点鎖線で示す位置（切断位置）まで相対回動させると、この回動に伴って、第１刃部７及び第２刃部は両側から順に中央部へと交差しな
がら摺動する。このとき、第１刃部７は、第２刃部１０と交差した後に逃げ溝９内を移動するので、嵌合凸部５と嵌合凹部８は回動の際には互いに引っ掛かることがない。即ち、第１及び第２の基材１，２は互いに引っ掛かることなく滑らかに相対回動可能となっている。
【００１５】
平板インデックスカッターＩの正面Ｉａ（第１及び第２の基材の正面１ａ，２ａ）には、１ミリメートルピッチの目盛りＳ１と、５ミリメートルピッチの目盛りＳ２と、１０ミリメートルピッチの目盛りＳ３とが刻設されていて、同平板インデックスカッターＩ自身を定規として使用可能となっている。さらに、平板インデックスカッターＩの正面Ｉａ（第１の基材１の正面１ａ）には、同平板インデックスカッターＩを長手方向に２等分する位置、即ち両端部から４８ミリメートルの位置に中心線Ｃが刻設されている。
【００１６】
また、平板インデックスカッターＩには、図１に示すように、その両端部に第１及び第２位置確認孔１１，１２がそれぞれ形成されている。詳しくは、第１位置確認孔１１は、第１の基材１の他端部に正面１ａから背面１ｂに貫通形成されていて、第２位置確認孔１２は、第２の基材２の他端部に正面２ａから背面２ｂに貫通形成されている。第１及び第２位置確認孔１１，１２は、それぞれ６ミリメートルの直径であって、各中心点１１ａ，１２ａが、平板インデックスカッターＩの縁部１３から１２ミリメートルの距離Ｄ１に位置している。さらに、図１において、第１及び第２位置確認孔１１，１２は、前記中心線Ｃを中心に対称位置に形成されているといともに、中心点１１ａ，１２ａ間の間隔Ｄ２が８０ミリメートルとなっていて、いわゆる日本工業規格（ＪＩＳ規格）のパンチピッチに準拠している。
【００１７】
次に、上記したように構成された平板インデックスカッターＩの使用方法について図４〜図７に従って説明する。
まず、平板インデックスカッターＩを使用して書類に切り込みインデックスを形成する方法について図４（ａ）〜（ｃ）、図５（ａ）及び図５（ｂ）に従って説明する。図４（ａ）〜図４（ｃ）は、平板インデックスカッターＩの使用方法を説明するための斜視図である。図５（ａ）は、本実施形態の書類を示す平面図であって図５（ｂ）は、切り込みインデックスの形成された同書類を説明するための平面図である。
【００１８】
図５（ａ）に示すように、書類２０は用紙２１を複数枚備えている。この用紙２１は、Ａ４サイズの日本工業規格に準拠したものであって、その長さが２９７ミリメートル、幅が２１０ミリメートルとなっている。これら各用紙２１は同図５（ａ）における左端部に設けられ貫通孔ＨをリングＲにて貫通係止されて書類２０を形成している。書類２０は、リングＲを支点として各用紙２１を見開きで閲覧できるようなっている。
【００１９】
そして、図４（ａ）に示すように、平板インデックスカッターＩの第２の基材２を準備位置に回動させた後に、用紙２１の側辺２１ａを第１の基材１の正面１ａに嵌合凸部５側から乗せるとともに、同側辺２１ａを同第２の基材２の背面２ｂに当接させて位置決めをする。次に、図４（ｂ）に示すように、第２の基材２を切断位置に回動させる。この側辺２１ａは、互いに交差しようとする第１及び第２刃部７，１０によって切断される。即ち、側辺２１ａは、嵌合凸部５及び嵌合凹部８に沿って切断されて、図４（ｃ）に示すように切り込みインデックス２２が形成される。これに従って順に、図５（ｂ）に示すように、書類２０の各用紙２１にそれぞれ切り込みインデックス２２を形成することで、同書類２０にインデックスを付与して項目毎に分類することができる。
【００２０】
次に、平板インデックスカッターＩを用いてＡ４サイズの用紙２１を三つ折りにする方法について図６（ａ）〜図６（ｄ）に従って説明する。図６（ａ）〜図６（ｄ）は、平板インデックスカッターＩの使用方法を説明するための斜視図である。上述したようにＡ４
サイズの用紙２１は、その長さが２９７ミリメートルとなっている。即ち、平板インデックスカッターＩの全長Ｌ（９６ミリメートル）は、同用紙２１の略三分の一の長さとなっている。
【００２１】
まず、図６（ａ）に示すように、平板インデックスカッターＩを用紙２１の長手方向の同図６ａにおける手前左隅部に、同平板インデックスカッターＩの縁部１３側の左隅部が重なるように位置決めをする。さらに、平板インデックスカッターＩの右端部を支点として、用紙２１の側辺２１ｂ側を図６（ａ）における矢印Ｂ１方向に移動させるとともに、同用紙２１を同平板インデックスカッターＩの右端部に指等で押え当てる。これによって、図６（ｂ）に示すように、用紙２１の平板インデックスカッターＩとの当接箇所には、折れスジ３０が形成される。そして、用紙２１を、この折れスジ３０を目安として、同用紙２１に側辺２１ｃと平行な折れ線３１を折れスジ３０から延出形成するように、同用紙２１の両端を揃えるとともに側辺２１ｃ側を図６（ｂ）における矢印Ｂ２方向に折る。これによって、図６（ｃ）に示すように、用紙２１に折り込み辺２１ｄが形成される。さらに、用紙２１を、その側辺２１ｂ側がこの折り込み辺２１ｄを若干覆うように同図６（ｃ）における矢印Ｂ３方向に折ることで、図６（ｄ）に示すように同用紙２１を容易に三つ折りにすることができる。
【００２２】
次に、平板インデックスカッターＩを用いて、日本工業規格に準拠して製造されたパンチャーによって形成されるパンチ孔の形成箇所を確認する方法について図７に従って説明する。図７は、平板インデックスカッターＩの使用方法を説明するための平面図である。上述したように、平板インデックスカッターＩの第１及び第２位置確認孔１１、１２は、日本工業規格のパンチピッチに準拠している。
【００２３】
まず、図７に示すように、用紙２１を二つ折りにすることで同用紙２１に中心線３２を形成する。そして、この中心線３２と、平板インデックスカッターＩの中心線Ｃが一致するように、同平板インデックスカッターＩを用紙２１の上に図７における手前側の側辺に沿って乗せる。このとき平板インデックスカッターＩの第１及び第２位置確認孔１１，１２は、同用紙２１の側辺にパンチ孔の形成位置を示すことができる。
【００２４】
以上、上記した本実施形態によれば、以下の効果を奏する。
（１）本実施形態の平板インデックスカッターＩは、平板状に形成された第１の基材１と第２の基材２に第１及び第２刃部７，１０を形成した。そして、第１の基材１と第２の基材２とを相対回動させることで、各種用紙に切り込みインデックス２２を形成できるように構成した。これによって、書類２０に、上述した従来の貼付用インデックスに比べてコンパクトにインデックスを付与することができる。また、書類２０の各用紙２１に切り込みインデックス２２を形成しておくことで、例えばリングＲの係止が解除されて各用紙２１が混ざってしまった場合であっても、同切り込みインデックス２２を割印的目印として、各用紙２１を項目毎に選別することができる。
【００２５】
（２）本実施形態の平板インデックスカッターＩでは、全長Ｌを９６ミリメートルとして、Ａ４サイズである用紙２１の長さの略三分の一となるように構成した。このように構成することによって、平板インデックスカッターＩを用いて用紙２１を容易に三つ折りにすることができる。さらに、全長Ｌを９６ミリメートルとしたことで、コンパクトとなり平板インデックスカッターＩの携帯性を向上させることができる。
【００２６】
（３）本実施形態の平板インデックスカッターＩの第１及び第２位置確認孔１１，１２では、日本工業規格に準拠し製造されたパンチャーによって形成されるパンチ孔の形成位置を確認できるように構成した。これによって、パンチャーによるパンチ孔の形成の際に、第１及び第２位置確認孔１１，１２によって、用紙２１に形成されるパンチ孔の形成位
置を確認することができる。即ち、用紙２１に文字等が記載されていた場合、パンチ孔の形成によってこの文字等が損なわれるかどうかを確認することができる。これによって、平板インデックスカッターＩを用いることで、用紙２１に記載された文字等が欠損することを抑制し、用紙２１に安心して正確にパンチ孔を形成することができる。
【００２７】
（４）本実施形態では、平板インデックスカッターＩを平板状であって２．５ミリメートルの厚さと９６ミリメートルの全長Ｌとを有するように構成した。これによって、平板インデックスカッターＩを机上等に省スペースに載置することができ、さらに、平板インデックスカッターＩの上に書類２０等を重ねて載置することもできる。また、第１及び第２の基材１，２を鋼、ステンレス、アルミ等の金属から構成したことによって、平板インデックスカッターＩは、携帯性を維持できる程度であって、机上等で用紙２１を押えることができる重さを有することができた。即ち、平板インデックスカッターＩはペーパーウエイトとして使用することもできる。
【００２８】
尚、発明の実施の形態は、上記各実施形態に限定されるものではなく、以下のように変更してもよい。
・本実施形態では、書類２０の各用紙２１に切り込みインデックス２２を形成したが、この限りではなく、各用紙２１に切り込みインデックス２２を形成した後に、同用紙２１をリングＲにて係止して書類２０を形成してもよい。
・本実施形態では、平板インデックスカッターＩの全長Ｌを書類２０（Ａ４サイズ）の長さの略三分の一の長さに形成したが、この限りではなく、他のサイズの用紙に適用できるように適宜変更してもよい。従って、例えば、Ｂ５サイズの用紙を三つ折りすることができるように、長さを略三分の一である８５ミリメートルに変更してもよい。
・本実施形態の平板インデックスカッターＩは、第１及び第２位置確認孔１１，１２を設けたが、この限りではなく、同第１及び第２位置確認孔１１，１２を設けなくてもよい。・本実施形態の平板インデックスカッターＩの第１及び第２位置確認孔１１，１２は、日本工業規格のパンチピッチに準拠して構成したが、この限りではなく、これに加えてＩＳＯ規格のパンチピッチに準拠して構成してもよい。また、ＩＳＯ規格のパンチピッチのみに準拠して構成してもよい。
・本実施形態では、第１及び第２の基材１，２の厚さをそれぞれ２．５ミリメートルとして、平板インデックスカッターＩの厚さを２．５ミリメートルとなるように構成したが、この限りではなく、同平板インデックスカッターＩの厚さを適宜変更してもよい。特に、この厚さは、２．５ミリメートルから３．３ミリメートルの範囲であることが望ましい。・本実施形態の平板インデックスカッターＩは、目盛りＳ１〜Ｓ３を設けたが、この限りではなく、設けなくてもよい。
・本実施形態では、第１の基材１の第１刃部７は正面１ａ側に形成したが、図８（ａ）に示すように、傾斜部６の向きを逆にし、背面１ｂ側に形成してもよい。従って、第２の基材２の第２刃部１０は正面２ａ側となる。そして、第１の基材１を、第２の基材２の背面２ｂ側に回動させて２点鎖線に示す準備位置とし、同第１の基材１の背面１ｂと、同第２の基材２の正面２ａの間に用紙２１の側辺２１ａを配置した状態から元の位置（切断位置）に回動させれば、前記と同様に同用紙２１の側辺２１ａに切り込みインデックス２２を形成することができる。
・本実施形態では、第１及び第２刃部７，１０の形状を、第１の基材１の嵌合凸部５と第２の基材２の嵌合凹部８の形状に応じて円弧状に形成した。これを、図８（ｂ）に示すように、第１の基材１の嵌合凸部５と第２の基材２の嵌合凹部８の形状をＶ字状にし、第１及び第２刃部７，１０の形状をＶ字状等その他形状で実施してもよい。
【図面の簡単な説明】
【００２９】
【図１】本実施形態の平板インデックスカッターの構成を説明するための正面図。
【図２】同平板インデックスカッターの準備位置及び切断位置を説明するための側面図。
【図３】同図１におけるＡ−Ａ線方向の断面図。
【図４】（ａ）同平板インデックスカッターの使用方法を説明するための斜視図。（ｂ）同平板インデックスカッターの使用方法を説明するための斜視図。（ｃ）同平板インデックスカッターの使用方法を説明するための斜視図。
【図５】（ａ）本実施形態の書類を説明するための平面図。（ｂ）切り込みインデックスの形成された同書類を説明するための平面図。
【図６】（ａ）同平板インデックスカッターの使用方法を説明するための斜視図。（ｂ）同平板インデックスカッターの使用方法を説明するための斜視図。（ｃ）同平板インデックスカッターの使用方法を説明するための斜視図。（ｄ）同平板インデックスカッターの使用方法を説明するための斜視図。
【図７】同平板インデックスカッターの使用方法を説明するための平面図。
【図８】（ａ）本発明のインデックスカッターの別例を説明する図１のＡ−Ａ線方向の断面図。（ｂ）本発明のインデックスカッターの別例を説明するための正面図。
【符号の説明】
【００３０】
１…第１の基材、２…第２の基材、７…第１刃部、１０…第２刃部、１１，１２…位置確認孔、２１…用紙、２２…切り込みインデックス、Ｉ…平板インデックスカッター、Ｌ…平板インデックスカッターの全長。
【図１】
2005296472.tif 000003
【図２】
2005296472.tif 000004
【図３】
2005296472.tif 000005
【図４】
2005296472.tif 000006
【図５】
2005296472.tif 000007
【図６】
2005296472.tif 000008
【図７】
2005296472.tif 000009
【図８】
2005296472.tif 000010